(57)【特許請求の範囲】
【請求項１】
カラオケ楽曲を再生する楽曲再生手段と、
前記楽曲再生手段における前記カラオケ楽曲の再生と連動して、対応する歌詞テロップを表示する表示手段と、
動画を記憶した記憶手段を備える操作端末と通信可能な通信手段と、
前記カラオケ楽曲の再生を前記楽曲再生手段に指示する予約指示手段と、
前記記憶手段に記憶された動画を前記予約指示手段により指示された前記カラオケ楽曲とともに再生するための指定と、指定された前記動画の再生開始位置及び再生終了位置の指定と、前記再生開始位置に対応する前記カラオケ楽曲の第１部位及び前記再生終了位置に対応する前記カラオケ楽曲の第２部位の指定と、を受け付ける動画指定受付手段と、
指定された前記動画を、前記再生開始位置を表す開始位置情報と、前記再生終了位置を表す終了位置情報と、前記第１部位と、前記第２部位とともに取得する、動画取得手段と、
前記楽曲再生手段による前記カラオケ楽曲の再生にしたがい、前記動画取得手段により取得された前記動画が、前記第１部位において前記再生開始位置から表示開始されかつ前記第２部位において前記再生終了位置で表示終了する制御を、前記表示手段に対して行う表示制御手段と、
を有することを特徴とする動画処理システム。
【請求項２】
請求項１記載の動画処理システムにおいて、
前記カラオケ楽曲の前記歌詞テロップを取得するテロップ取得手段と、
前記テロップ取得手段により取得された前記歌詞テロップに含まれる、前記再生開始位置に対応する開始テロップ部位の指定を受け付ける、テロップ指定受付手段と、
をさらに有し、
前記動画指定受付手段は、
前記再生開始位置として前記動画の再生開始フレームの指定を受け付け、
前記動画取得手段は、
少なくとも、前記開始テロップ部位と対応づけられた前記再生開始位置を表す前記開始位置情報とともに、前記動画を取得し、
前記表示制御手段は、
取得された前記動画が、前記第１部位としての前記開始テロップ部位において前記再生開始位置から表示開始されかつ前記第２部位において前記再生終了位置で表示終了するように、前記表示手段を制御する
ことを特徴とする動画処理システム。
【請求項３】
請求項２記載の動画処理システムにおいて、
前記テロップ指定受付手段は、さらに、
前記テロップ取得手段により取得された前記歌詞テロップに含まれる、前記再生終了位置に対応する終了テロップ部位の指定を受け付け、
前記動画取得手段は、
前記開始テロップ部位と対応づけられた前記再生開始位置を表す前記開始位置情報、前記終了テロップ部位と対応づけられた前記再生終了位置を表す前記終了位置情報とともに、前記動画を取得し、
前記表示制御手段は、
取得された前記動画が、前記第１部位としての前記開始テロップ部位において前記再生開始位置から表示開始されかつ前記第２部位としての前記終了テロップ部位において前記再生終了位置で表示終了するように、前記表示手段を制御する
ことを特徴とする動画処理システム。
【請求項４】
請求項１乃至請求項３のいずれか１項記載の動画処理システムにおいて、
前記表示制御手段は、
前記再生開始位置から前記再生終了位置までの時間長さと、前記第１部位から前記第２部位までの時間長さとの大小に応じて前記表示手段における前記動画の再生速度を調整する、動画調整手段を備える
ことを特徴とする動画処理システム。
【請求項５】
カラオケ楽曲を再生するカラオケ装置に接続されるとともに、操作手段、通信手段、動画を記憶した記憶手段、予約指示手段、及び演算手段を有する、操作端末の前記演算手段に対し、
前記記憶手段に記憶された動画を前記予約指示手段により指示された前記カラオケ楽曲とともに再生するための指定と、指定された前記動画のうち、前記カラオケ装置の表示手段で再生される時の再生開始位置及び再生終了位置の指定と、前記再生開始位置に対応する前記カラオケ楽曲の第１部位及び前記再生終了位置に対応する前記カラオケ楽曲の第２部位の指定とを、前記操作手段を介し受け付ける動画指定受付手順と、
指定された前記動画を、前記再生開始位置を表す開始位置情報と、前記再生終了位置を表す終了位置情報と、前記第１部位と、前記第２部位とともに、前記通信手段を介し前記カラオケ装置へ送信する動画送信手順と、
を実行させるための、動画処理プログラム。
【請求項６】
請求項５記載の動画処理プログラムにおいて、
前記演算手段に対し、
前記通信手段を介し、前記カラオケ装置から前記カラオケ楽曲の歌詞テロップを取得するテロップ取得手順と、
前記テロップ取得手順で取得された前記歌詞テロップに含まれる、前記再生開始位置に対応する開始テロップ部位の指定を、前記操作手段を介し受け付けるテロップ指定受付手順と、
をさらに実行させ、
前記動画指定受付手順では、
前記再生開始位置として前記動画の再生開始フレームの指定を受け付け、
前記動画送信手順では、
少なくとも、前記開始テロップ部位と対応づけられた前記再生開始位置を表す前記開始位置情報とともに、前記動画を前記カラオケ装置へ送信する
ことを特徴とする動画処理プログラム。
【請求項７】
請求項６記載の動画処理プログラムにおいて、
前記テロップ指定受付手順では、さらに、
前記テロップ取得手順で取得された前記歌詞テロップに含まれる、前記再生終了位置に対応する終了テロップ部位の指定を受け付け、
前記動画送信手順では、
前記開始テロップ部位と対応づけられた前記再生開始位置を表す前記開始位置情報、前記終了テロップ部位と対応づけられた前記再生終了位置を表す前記終了位置情報とともに、前記動画を前記カラオケ装置へ送信する
ことを特徴とする動画処理プログラム。
【請求項８】
カラオケ楽曲を再生するカラオケ装置に接続される携帯端末であって、
操作手段と、
通信手段と、
動画を記憶した記憶手段と、
前記記憶手段に記憶された動画のうち、前記カラオケ楽曲とともに前記カラオケ装置の表示手段で再生される時の再生開始位置に対応する前記カラオケ楽曲の第１部位及び再生終了位置に対応する前記カラオケ楽曲の第２部位の指定を、前記操作手段を介し受け付ける動画指定受付手段と、
前記記憶手段に記憶された動画を、前記再生開始位置を表す開始位置情報と、前記再生終了位置を表す終了位置情報と、前記第１部位と、前記第２部位とともに、前記通信手段を介し前記カラオケ装置へ送信する動画送信手段と、
を有することを特徴とする携帯端末。
【請求項９】
請求項８記載の携帯端末において、
前記通信手段を介し、前記カラオケ装置から前記カラオケ楽曲の歌詞テロップを取得するテロップ取得手段と、
前記テロップ取得手段により取得された前記歌詞テロップに含まれる、前記再生開始位置に対応する開始テロップ部位の指定を、前記操作手段を介し受け付けるテロップ指定受付手段と、
をさらに有し、
前記動画指定受付手段は、
前記再生開始位置として前記動画の再生開始フレームの指定を受け付け、
前記動画送信手段は、
少なくとも、前記開始テロップ部位と対応づけられた前記再生開始位置を表す前記開始位置情報とともに、前記動画を前記カラオケ装置へ送信する
ことを特徴とする携帯端末。
【請求項１０】
請求項９記載の携帯端末において、
前記テロップ指定受付手段は、さらに、
前記テロップ取得手段により取得された前記歌詞テロップに含まれる、前記再生終了位置に対応する終了テロップ部位の指定を受け付け、
前記動画送信手段は、
前記開始テロップ部位と対応づけられた前記再生開始位置を表す前記開始位置情報、前記終了テロップ部位と対応づけられた前記再生終了位置を表す前記終了位置情報とともに、前記動画を前記カラオケ装置へ送信する
ことを特徴とする携帯端末。
【発明の詳細な説明】
【技術分野】
【０００１】
本発明は、カラオケ楽曲に連動して動画を表示させるための動画処理システム、動画処理プログラム、及び、携帯端末に関する。
【背景技術】
【０００２】
携帯端末からＰＣ端末に動画を送信し、その送信された動画をＰＣ端末において表示する技術が既に知られている（例えば、特許文献１参照）。
【先行技術文献】
【特許文献】
【０００３】
【特許文献１】国際公開２０１１／１５２４２８号
【発明の概要】
【発明が解決しようとする課題】
【０００４】
近年、カラオケシステムのサービスの一環として、上記従来技術と同様、スマートフォン等の携帯端末からユーザの所望の動画をカラオケ装置側へ送信し、その動画をカラオケ装置のディスプレイにおいて表示する、という手法が提供されつつある。この場合、カラオケ楽曲が再生される際に、当該カラオケ楽曲のために予め用意された背景画像に代え、上記送信された動画を再生しディスプレイで表示させることができる。
【０００５】
しかしながら、上記手法においては、カラオケ楽曲の再生と動画再生との連動には特に配慮されていない。したがって、例えば、曲の途中で不意に動画再生が終了してしまったり、動画のクライマックスシーンに到達する前に曲のサビが終了してしまったり等、ユーザの意図する曲中のタイミングで動画の再生を行うことができず、娯楽性が低下するという課題が生じていた。
【０００６】
本発明の目的は、ユーザの意図するタイミングにおいてカラオケ楽曲の再生と動画再生とを連動させ、娯楽性を向上できる、動画処理システム、動画処理プログラム、及び、携帯端末を提供することにある。
【課題を解決するための手段】
【０００７】
上記目的を達成するために、第１の発明は、カラオケ楽曲を再生する楽曲再生手段と、前記楽曲再生手段における前記カラオケ楽曲の再生と連動して、対応する歌詞テロップを表示する表示手段と、動画を記憶した記憶手段を備える操作端末と通信可能な通信手段と、前記カラオケ楽曲の再生を前記楽曲再生手段に指示する予約指示手段と、前記記憶手段に記憶された動画を前記予約指示手段により指示された前記カラオケ楽曲とともに再生するための指定と、指定された前記動画の再生開始位置及び再生終了位置の指定と、前記再生開始位置に対応する前記カラオケ楽曲の第１部位及び前記再生終了位置に対応する前記カラオケ楽曲の第２部位の指定と、を受け付ける動画指定受付手段と、指定された前記動画を、前記再生開始位置を表す開始位置情報と、前記再生終了位置を表す終了位置情報と、前記第１部位と、前記第２部位とともに取得する、動画取得手段と、前記楽曲再生手段による前記カラオケ楽曲の再生にしたがい、前記動画取得手段により取得された前記動画が、前記第１部位において前記再生開始位置から表示開始されかつ前記第２部位において前記再生終了位置で表示終了する制御を、前記表示手段に対して行う表示制御手段と、を有することを特徴とする。
【０００８】
本願発明の動画処理システムにおいては、カラオケ楽曲が再生される際に、ユーザの所望の動画を上記再生と連動させて表示手段で表示させることができる。
その際、本願発明においては、ユーザは、上記動画のうちのどの部分（再生開始位置から再生終了位置まで）を上記連動して表示させるかと、その再生開始位置に対応するカラオケ楽曲の第１部位及び再生終了位置に対応するラオケ楽曲の第２部位と、を指定可能である。すなわち、ユーザが、例えば適宜の操作手段を介し、上記記憶手段に記憶された所望の動画のうちの上記再生開始位置及び上記再生終了位置の指定を行うと、カラオケ楽曲に対応したその指定結果が動画指定受付手段によって受け付けられる。
【０００９】
これに応じて、表示制御手段が、楽曲再生手段による上記カラオケ楽曲の再生にしたがい、表示手段を制御する。これにより、表示手段での上記動画の表示は、
カラオケ楽曲の特定の第１部位において上記再生開始位置から表示開始されるとともに、当該カラオケ楽曲の特定の第２部位において上記再生終了位置で表示終了するように、制御される。
【００１０】
すなわち、カラオケ楽曲が再生されるとき、特定の区間（第１部位〜第２部位）において、上記動画のうちユーザが所望する部分（再生開始位置から再生終了位置まで）が連動して表示される。この結果、ユーザの意図するタイミングにおいて、カラオケ楽曲の再生（放音）と動画再生（表示）とを連動させることができるので、娯楽性を向上することができる。特に、当該カラオケ楽曲の演奏映像動画・歌唱映像動画等を再生する場合には、上記再生開始位置及び再生終了位置の指定を適宜に行うことで、表示手段で表示される演奏者・歌唱者の演奏動作・歌唱動作と、再生されるカラオケ楽曲の音とを高精度に同期させることも可能となり、さらに娯楽性を向上することができる。
【００１１】
第２発明は、上記第１発明において、前記カラオケ楽曲の前記歌詞テロップを取得するテロップ取得手段と、前記テロップ取得手段により取得された前記歌詞テロップに含まれる、前記再生開始位置に対応する開始テロップ部位の指定を受け付ける、テロップ指定受付手段と、をさらに有し、前記動画指定受付手段は、前記再生開始位置として前記動画の再生開始フレームの指定を受け付け、前記動画取得手段は、少なくとも、前記開始テロップ部位と対応づけられた前記再生開始位置を表す前記開始位置情報とともに、前記動画を取得し、前記表示制御手段は、取得された前記動画が、前記第１部位としての前記開始テロップ部位において前記再生開始位置から表示開始されかつ前記第２部位において前記再生終了位置で表示終了するように、前記表示手段を制御することを特徴とする。
【００１２】
本願発明においては、動画の表示開始タイミングを、歌詞テロップの特定部位（開始テロップ部位）として指定することができる。これにより、カラオケ楽曲の再生とともに歌詞テロップが表示手段で表示されるとき、表示される歌詞テロップのうち上記開始テロップ部位が表示されるタイミングから、上記ユーザの所望する動画部分（再生開始位置から再生終了位置まで）を連動して表示開始することができる。すなわち、ユーザの意図する開始タイミングにおいて、カラオケ楽曲に連動させて動画再生（表示）を開始させることができ、確実に娯楽性を向上することができる。
【００１３】
第３発明は、上記第２発明において、前記テロップ指定受付手段は、さらに、前記テロップ取得手段により取得された前記歌詞テロップに含まれる、前記再生終了位置に対応する終了テロップ部位の指定を受け付け、前記動画取得手段は、前記開始テロップ部位と対応づけられた前記再生開始位置を表す前記開始位置情報、前記終了テロップ部位と対応づけられた前記再生終了位置を表す前記終了位置情報とともに、前記動画を取得し、前記表示制御手段は、取得された前記動画が、前記第１部位としての前記開始テロップ部位において前記再生開始位置から表示開始されかつ前記第２部位としての前記終了テロップ部位において前記再生終了位置で表示終了するように、前記表示手段を制御することを特徴とする。
【００１４】
本願発明においては、動画の表示開始タイミング及び動画の表示終了タイミングを、歌詞テロップの２つの特定部位（開始テロップ部位及び終了テロップ部位）として指定することができる。これにより、カラオケ楽曲の再生とともに歌詞テロップが表示手段で表示されるとき、表示される歌詞テロップのうち上記開始テロップ部位が表示されるタイミングから上記ユーザの所望する動画部分を連動して表示開始させ、さらに上記終了テロップ部位が表示されるタイミングにて上記ユーザの所望する動画部分を連動して表示終了させることができる。すなわち、ユーザの意図する開始・終了タイミングにおいて、カラオケ楽曲に連動させて動画再生（表示）を開始・終了させることができるので、確実に娯楽性を向上することができる。
【００１５】
第４発明は、上記第１乃至第３発明のいずれかにおいて、前記表示制御手段は、前記再生開始位置から前記再生終了位置までの時間長さと、前記第１部位から前記第２部位までの時間長さとの大小に応じて前記表示手段における前記動画の再生速度を調整する、動画調整手段を備えることを特徴とする。
【００１６】
本願発明においては、ユーザの指定する動画再生区間（再生開始位置から再生終了位置まで）と、これに対応する歌詞テロップの特定区間（第１部位〜第２部位）との時間長さの大小に応じて、動画側の再生速度を調整する。これにより、確実に、ユーザの意図するタイミングにおいて、カラオケ楽曲の再生（放音）と動画再生（表示）とを連動させることができる。
【００１７】
上記目的を達成するために、第５発明の動画処理プログラムは、カラオケ楽曲を再生するカラオケ装置に接続されるとともに、操作手段、通信手段、動画を記憶した記憶手段、予約指示手段、及び演算手段を有する、操作端末の前記演算手段に対し、前記記憶手段に記憶された動画を前記予約指示手段により指示された前記カラオケ楽曲とともに再生するための指定と、指定された前記動画のうち、前記カラオケ装置の表示手段で再生される時の再生開始位置及び再生終了位置の指定と、前記再生開始位置に対応する前記カラオケ楽曲の第１部位及び前記再生終了位置に対応する前記カラオケ楽曲の第２部位の指定とを、前記操作手段を介し受け付ける動画指定受付手順と、指定された前記動画を、前記再生開始位置を表す開始位置情報と、前記再生終了位置を表す終了位置情報と、前記第１部位と、前記第２部位とともに、前記通信手段を介し前記カラオケ装置へ送信する動画送信手順と、を実行させる。
【００１８】
第６発明は、上記第５発明において、前記演算手段に対し、前記通信手段を介し、前記カラオケ装置から前記カラオケ楽曲の歌詞テロップを取得するテロップ取得手順と、前記テロップ取得手順で取得された前記歌詞テロップに含まれる、前記再生開始位置に対応する開始テロップ部位の指定を、前記操作手段を介し受け付けるテロップ指定受付手順と、をさらに実行させ、前記動画指定受付手順では、前記再生開始位置として前記動画の再生開始フレームの指定を受け付け、前記動画送信手順では、少なくとも、前記開始テロップ部位と対応づけられた前記再生開始位置を表す前記開始位置情報とともに、前記動画を前記カラオケ装置へ送信することを特徴とする。
【００１９】
第７発明は、上記第６発明において、前記テロップ指定受付手順では、さらに、前記テロップ取得手順で取得された前記歌詞テロップに含まれる、前記再生終了位置に対応する終了テロップ部位の指定を受け付け、前記動画送信手順では、前記開始テロップ部位と対応づけられた前記再生開始位置を表す前記開始位置情報、前記終了テロップ部位と対応づけられた前記再生終了位置を表す前記終了位置情報とともに、前記動画を前記カラオケ装置へ送信することを特徴とする。
【００２０】
上記目的を達成するために、第８発明は、カラオケ楽曲を再生するカラオケ装置に接続される携帯端末であって、操作手段と、通信手段と、動画を記憶した記憶手段と、前記記憶手段に記憶された動画のうち、前記カラオケ楽曲とともに前記カラオケ装置の表示手段で再生される時の再生開始位置に対応する前記カラオケ楽曲の第１部位及び再生終了位置に対応する前記カラオケ楽曲の第２部位の指定を、前記操作手段を介し受け付ける動画指定受付手段と、前記記憶手段に記憶された動画を、前記再生開始位置を表す開始位置情報と、前記再生終了位置を表す終了位置情報と、前記第１部位と、前記第２部位とともに、前記通信手段を介し前記カラオケ装置へ送信する動画送信手段と、を有することを特徴とする。
【００２１】
第９発明は、上記第８発明において、前記通信手段を介し、前記カラオケ装置から前記カラオケ楽曲の歌詞テロップを取得するテロップ取得手段と、前記テロップ取得手段により取得された前記歌詞テロップに含まれる、前記再生開始位置に対応する開始テロップ部位の指定を、前記操作手段を介し受け付けるテロップ指定受付手段と、をさらに有し、前記動画指定受付手段は、前記再生開始位置として前記動画の再生開始フレームの指定を受け付け、前記動画送信手段は、少なくとも、前記開始テロップ部位と対応づけられた前記再生開始位置を表す前記開始位置情報とともに、前記動画を前記カラオケ装置へ送信することを特徴とする。
【００２２】
第１０発明は、上記第９発明において、前記テロップ指定受付手段は、さらに、前記テロップ取得手段により取得された前記歌詞テロップに含まれる、前記再生終了位置に対応する終了テロップ部位の指定を受け付け、前記動画送信手段は、前記開始テロップ部位と対応づけられた前記再生開始位置を表す前記開始位置情報、前記終了テロップ部位と対応づけられた前記再生終了位置を表す前記終了位置情報とともに、前記動画を前記カラオケ装置へ送信することを特徴とする。
【発明の効果】
【００２３】
本発明によれば、ユーザの意図するタイミングにおいてカラオケ楽曲の再生と動画再生とを連動させ、娯楽性を向上することができる。
【図面の簡単な説明】
【００２４】
【図１】本発明の一実施形態に係わるカラオケシステムの概略構成を表す図である。
【図２】カラオケ装置の制御系を表す機能ブロック図である。
【図３】携帯端末のメモリに記憶された動画の一例を表す説明図である。
【図４】動画再生の対象とするカラオケ楽曲の一例を表す説明図である。
【図５】動画再生区間と楽曲再生区間との連動の一例を表す説明図である。
【図６】携帯端末における再生開始位置と再生終了位置の指定操作を表す説明図である。
【図７】携帯端末における開始テロップ部位と終了テロップ部位の指定操作を表す説明図である。
【図８】動画再生と楽曲再生とが連動して行われる様子を表す説明図である。
【図９】携帯端末のＣＰＵにより行われる制御手順を表すフローチャートである。
【図１０】カラオケ装置のＣＰＵにより行われる制御手順を表すフローチャートである。
【図１１】カラオケ楽曲と、当該カラオケ楽曲の本来の歌唱映像動画と、をそれぞれ表す説明図である。
【図１２】カラオケ楽曲の再生と歌唱映像動画の再生との連動を行わない比較例を表す説明図である。
【図１３】実施形態の手法によりカラオケ楽曲の再生と歌唱映像動画の再生との連動を行った場合を表す説明図である。
【図１４】動画再生区間と楽曲再生区間との連動の他の例を表す説明図である。
【図１５】動画再生と楽曲再生とが連動して行われる様子を表す説明図である。
【発明を実施するための形態】
【００２５】
以下、本発明の実施の形態について、図面を参照しつつ説明する。
【００２６】
＜概略構成＞
図１に示すように、本実施形態のカラオケシステム１（動画処理システムに相当）は、メインディスプレイ１６Ａ（表示手段に相当）を備えたカラオケ装置１０と、サブディスプレイ１６Ｂと、リモコン装置６０と、例えばスマートフォンなどの携帯電話機やタブレット端末やＰＣ等から構成され、タッチパネル３０Ａ（操作手段に相当）を備えた操作端末３０（携帯端末に相当。図示しないＣＰＵ，ＲＯＭ，ＲＡＭからなる制御手段、ユーザの動画データを記憶するメモリである記憶手段、無線ＬＡＮや赤外線通信で無線通信を行なう通信手段も備える。なお、後述の図９に示す制御手順を実行する動画処理プログラムが予めメモリにインストールされている）と、を有しており、この例では、カラオケ店舗の部屋Ｒに設けられている。カラオケ装置１０と操作端末３０とは例えば無線ＬＡＮなどの無線通信を介し接続されており、カラオケ装置１０とリモコン装置６０とは例えば赤外線通信（但し無線ＬＡＮなどの無線通信であってもよい）を介し接続されており、互いに各種の情報やデータを送受する。
【００２７】
＜制御系＞
次に、図２を用いてカラオケ装置１０の制御系の主要構成について説明する。カラオケ装置１０は、装置筺体１１に、有線ＬＡＮ回線１２を接続する通信端子１３と、アンプ１４の音声入力端子と接続される音声出力端子１５と、上記メインディスプレイ１６Ａ及びサブディスプレイ１６Ｂの映像入力端子とそれぞれ接続される映像出力端子１７ａ，１７ｂと、を備えている。
【００２８】
アンプ１４は、マイクロフォン１８（図１も参照）から入力される音声信号及び曲の再生信号のミキシングを行うミキシング回路（ＭＩＸ回路）１９を備え、音声と曲との音量バランス、エコー調整、デレィ調整、ミキシング信号の増幅、再生される曲の音程制御、高音、低音の制御などを行う。このアンプ１４から出力される増幅信号は、音としてスピーカ２０から発音される。
【００２９】
また、カラオケ装置１０には、制御プログラムにしたがって各種制御を実行するＣＰＵ２１が設けられている。ＣＰＵ２１には、リモコン装置６０や操作端末３０から送信される各種情報・データなどを一時保存するためのＲＡＭ２２と、ＣＰＵ２１により実行されるプログラム及び必要なデータテーブルなどが記憶されたＲＯＭ２３とが接続されている。また、ＣＰＵ２１には、メインディスプレイ１６Ａ及びサブディスプレイ１６Ｂに歌詞テロップや各種メッセージ映像を表示するための文字映像データが記憶されたビデオＲＡＭ２４と、外部のサーバ２５から送信される楽曲データ、歌詞データ、及び映像データなどの各種データを通信端子１３及び有線ＬＡＮ回線１２を介して受信するための有線ＬＡＮ制御部２６と、この有線ＬＡＮ制御部２６により受信される上記各種データを保存するためのＨＤＤ２７とが接続されている。ＨＤＤ２７には、背景映像を示す背景映像データも保存（記憶）されている。
【００３０】
さらに、ＣＰＵ２１には、ＨＤＤ２７から読み出された楽曲データに含まれるＭＩＤＩデータを入力するとともに、その入力されたＭＩＤＩデータにより指定される音源から音源信号を出力するＭＩＤＩ音源ボード２８が接続されている。また、ＣＰＵ２１には、上記出力された音源信号を入力してアンプ１４により増幅可能な信号に変換する音声制御回路２９が接続されている。
【００３１】
また、ＣＰＵ２１には、サーバ２５や操作端末３０から受信（操作端末３０からの受信の詳細は後述）した上記動画データ等を映像出力端子１７を介してメインディスプレイ１６Ａ及びサブディスプレイ１６に表示するための映像制御を行う映像制御回路３１が接続されている。
【００３２】
さらに、ＣＰＵ２１には、カラオケ装置１０の装置筺体１１に設けられたアンテナ３２（図１も参照）を介して上記操作端末３０の通信制御部（通信手段に相当。図示省略）と無線通信により情報送受するための無線ＬＡＮ制御部３３が接続されている。この無線ＬＡＮ制御部３３には、送信部３３ａと受信部３３ｂが備えられている。
【００３３】
本実施形態では、アンテナ３２及び無線ＬＡＮ制御部３３は、装置筐体１１に内蔵されている。他の無線通信の形態としては、アンテナ３２及び無線ＬＡＮ制御部３３を、無線ＬＡＮのアクセスポイントとして装置筐体１１の外部に設置し、カラオケ装置１０側に有線ＬＡＮインタフェースを設け、上記アクセスポイントとカラオケ装置１０とを有線ＬＡＮで接続することで、操作端末３０とカラオケ装置１０との無線通信を、アクセスポイントを介した無線ＬＡＮ通信を行う。更に、リモコン６０とカラオケ装置１０との無線通信も上記アクセスポイントを介した無線ＬＡＮ通信で行う場合もある。
【００３４】
また、ＣＰＵ２１には、カラオケ装置１０の筺体に設けられた各種ボタン・キー３４（テンキー、選曲ボタン等）を押したときに点灯するＬＥＤ３５へ表示信号を出力する表示回路３６と、上記各種ボタン、キー３４を押したときに発生するスイッチング信号を入力する入力回路３７とが接続されている。
【００３５】
さらに、ＣＰＵ２１には、カラオケ装置１０の装置筺体１１に設けられた受光部３８を介して上記リモコン装置６０の通信制御部（図示省略）と赤外通信により情報受信するための変換回路３９が接続されている。なお、リモコン装置６０は、カラオケシステム１における専用の機器として構成してもよいが、同等の機能構成を有するスマートフォン等の携帯端末を利用してもよい。この場合には、あらかじめ当該携帯端末にリモコン装置６０と同等の機能を実現するアプリケーションプログラムをインストールしておく必要がある。
【００３６】
＜動画表示サービス＞
上記構成のカラオケシステム１において、カラオケ装置１０によりカラオケ楽曲が再生されると、それに連動して対応する背景映像及び歌詞テロップが上記メインディスプレイ１６Ａに表示され、ユーザは当該表示を見ながらマイクロフォン１８を用いて歌唱を楽しむことができる。このとき、本実施形態では、上記操作端末３０のメモリ（記憶手段に相当。図示省略）に予め記憶されたユーザの所望の動画をカラオケ装置１０に送信し、上記カラオケ楽曲の再生時に、上記背景映像に代えて、その送信した動画をメインディスプレイ１６Ａに表示させることができる。
【００３７】
しかしながら、カラオケ楽曲の再生と動画再生との連動には特に配慮されていない場合には、例えば曲の途中で不意に動画再生が終了してしまったり、動画のクライマックスシーンに到達する前に曲のサビが終了してしまったり等、ユーザの意図する曲中のタイミングで動画の再生を行うことができず、娯楽性が低下する。
【００３８】
＜本実施形態の特徴＞
そこで、本実施形態では、操作端末３０におけるユーザの所定の操作により、ユーザの意図するタイミングにおいてカラオケ楽曲の再生と動画再生とを連動させる。以下、その手法の詳細を図３〜図１０を用いて説明する。
【００３９】
＜動画の具体例＞
操作端末３０の上記メモリに記憶された動画の一例を図３に示す。図示の例の動画は、フレームＡ１〜Ａ１４を含む、連続する多数のフレームの集合体により構成される。すなわち、図示するこれらフレームＡ１，Ａ２，Ａ３，Ａ４，Ａ５，Ａ６，Ａ７，Ａ８，Ａ９，Ａ１０，Ａ１１，Ａ１２，Ａ１３，Ａ１４は、動画の概略内容を説明するために、便宜上、上記多数のフレームの中から抜き出して示したものであり、それらフレームＡ１〜Ａ１４のうち番号が隣接する２つのフレーム間にも複数の図示しないフレームが動画中には存在している（後述する図５、図８、図１４、図１５、図１１、図１２、図１３等も同様）。
【００４０】
この例では、フレームＡ１〜Ａ３において、曲線状の道路Ｗの図示右側部分を人物Ｐｅが画面手前側に向かって歩いてくる様子が記録されている。また、フレームＡ４〜Ａ１１においては、山Ｍｔを背景に、自動車Ｃａが図示右側から左側へと走行する様子が記録されている。フレームＡ１〜Ａ３において、曲線状の道路Ｗの図示左側部分を人物Ｐｅが画面手前側に向かって歩いてくる様子が記録されている。
【００４１】
＜カラオケ楽曲の具体例＞
ユーザが上記動画再生の対象とするカラオケ楽曲の一例を図４に示す。図４では、当該カラオケ楽曲の再生の流れを説明するために、便宜上、カラオケ楽曲の歌詞を表記している（後述の図５、図８、図１４、図１５、図１１、図１２、図１３等も同様）。すなわち、楽曲が開始されると、まず「ひとりで  いないで」の歌詞に対応する部分の上記楽曲データに基づく当該カラオケ楽曲の再生が行われ（以下適宜、単に「ひとりで  いないで」の再生という。以下同様）、その後続いて「僕のこと  好きになってみない？」の再生が行われる。以降、同様に、「確かに  僕は」→「君にとって」→「悪いやつかもしれないけど」→「君の好きなときに呼べばいい」→「君のｎｕｍｂｅｒは聞かないから」→「君の好きなときに来ればいい」→「部屋のｋｅｙを預けておくから」→「ふたり  過ごせる」→「わずかな  このとき」→「誰にも  言えない」→「恋に  さまよう」→「ああ  君の声を  きかせて」の順で再生が行われて、このカラオケ楽曲の再生が終了する。
【００４２】
＜楽曲再生と動画再生との連動＞
本実施形態では、上述したように、カラオケ楽曲の再生と動画再生とを連動させることができる。具体的には、動画の所望の区間（以下適宜、動画再生区間という）とカラオケ楽曲の所望の区間（以下適宜、楽曲再生区間という）とを連動させて、それぞれ再生することができる。以下、一例として、例えば図５に示すように、図３に示した動画のうち、クライマックスシーンであるフレームＡ５〜フレームＡ９の区間を、図４に示したカラオケ楽曲のサビである「ふたり  過ごせる」→「わずかな  このとき」→「誰にも  言えない」→「恋に  さまよう」→「ああ  君の声を  きかせて」の区間に合わせて再生したい場合を、例にとって説明する。
【００４３】
＜再生開始位置と再生終了位置の指定＞
上述の場合にユーザが操作端末３０において実行する操作を、図６及び図７により説明する。まず、図６（ａ）に示すように、ユーザが操作端末３０を適宜に操作することで、上記メモリに記憶されている複数の動画の中から、カラオケ楽曲とともに再生したい上記動画再生区間を含む所望の動画を選択するとともに、上記タッチパネル３Ａに、当該動画の再生開始位置・再生終了位置を指定するための再生位置指定画面８１を表示させる。この例では、前述の図３に示した動画内容に対応し、再生位置指定画面８１において、その動画内容を典型的に代表するフレームとして前述の１４個のフレームＡ１，Ａ２，Ａ３，Ａ４，Ａ５，Ａ６，Ａ７，Ａ８，Ａ９，Ａ１０，Ａ１１，Ａ１２，Ａ１３，Ａ１４が横並びで表示されている。すなわち、前述したように、この動画には、フレームＡ１〜Ａ１４のうち番号が隣接する２つのフレーム間にも複数のフレームが存在しているが、この再生位置指定画面８１ではそれら複数のフレームは表示されない。
【００４４】
そして、ユーザは、このように一覧表示された１４個のフレームＡ１〜１４のうち、カラオケ楽曲の再生と共に再生する上記動画再生区間の始点（再生開始位置に相当）としたいフレームを選択する。上記図５において説明した例に沿い、この例では、図６（ａ）に示すようにユーザの指Ｆの接触操作によって上記フレームＡ５が選択されている。そして、この選択を行うと、図６（ｂ）に示すように、当該フレームＡ５に所望のマーキング（この例では色調又は濃淡が変化。以下同様）が行われると共に上記動画再生区間の始点であることを表す「ＳＴＡＲＴ」の表示がなされている。
【００４５】
その後、ユーザは、一覧表示された上記１４個のフレームＡ１〜１４のうち、上記動画再生区間の終点（再生終了位置に相当）としたいフレームを選択する。上記図５において説明した例に沿い、この例では、図６（ｂ）に示すようにユーザの指Ｆの接触操作によって上記フレームＡ９が選択されている。そして、この選択を行うと、図６（ｃ）に示すように、当該フレームＡ９に上記マーキングが行われかつ上記動画再生区間の終点であることを表す「ＥＮＤ」の表示がなされるとともに、上記フレームＡ５とフレームＡ９とに挟まれるフレームＡ６，Ａ７，Ａ８についても、上記動画再生区間内であることを表す上記マーキングが行われている。
【００４６】
＜開始テロップ部位と終了テロップ部位の指定＞
一方、ユーザは、操作端末３０を適宜に操作することで、予め、上記のように動画再生区間を選択した動画とともに再生したい所望のカラオケ楽曲の歌詞テロップ（歌詞データ）をカラオケ装置から取得しておく（この取得は、上記再生開始位置・再生終了位置の指定より前に行われる。後述の図９のステップＳ１０，Ｓ２０，Ｓ３０参照）。そしてユーザは、操作端末３０を適宜に操作することで、とともに、上記タッチパネル３Ａに、上記取得された当該カラオケ楽曲のうち、上記動画の再生開始位置に対応する楽曲再生開始位置を表す開始テロップ部位、及び、上記動画の再生終了位置に対応する楽曲再生終了位置を表す終了テロップ部位、をそれぞれ指定するためのテロップ部位指定画面８２を表示させる。
（図７（ａ）〜（ｃ）参照）
【００４７】
次に、テロップ部位指定画面８２と、その画面に表示された歌詞テロップ（以下、テロップ）と、の関係について説明する。この例では、前述の図４に示したカラオケ楽曲の内容に対応し、図７（ａ）〜（ｃ）では、テロップ部位指定画面８２において、そのカラオケ楽曲の全ての歌詞テロップ（以下、全テロップ）、すなわち、「ひとりで  いないで  僕のこと  好きになってみない？  確かに  僕は  君にとって  悪いやつかもしれないけど  君の好きなときに呼べばいい  君のｎｕｍｂｅｒは聞かないから  君の好きなときに来ればいい  部屋のｋｅｙを預けておくから  ふたり  過ごせる  わずかな  このとき  誰にも  言えない  恋に  さまよう  ああ  君の声を  きかせて」のテロップが表示されている。
テロップ部位指定画面８２における区切り８２Ａは、テロップ部位指定画面８２の画面の区切りであって、画面を横スクロールさせた状態を示している。つまり、ユーザの指Ｆが位置する画面（「君の好きなとき・・・さまよう」が表示されている領域）は、「ひとりで・・・聴かないから」が表示されている領域を横スクロールした２画面目に相当する。「ああ・・・きかせて」の領域は３画面目に相当する。
【００４８】
そして、ユーザは、このように表示された全テロップのうち、上記動画の再生と共に再生する上記楽曲再生区間の始点（開始テロップ部位、この実施形態での第１部位に相当）としたいものを選択する。上記図５において説明した例に沿い、この例では、図７（ａ）に示すようにユーザの指Ｆの接触操作によって「ふたり  過ごせる」の「ふ」のテロップが選択されている。そして、この選択を行うと、図７（ｂ）に示すように、上記楽曲再生区間の始点であることを表す「ＳＴＡＲＴ」の表示がなされている。
【００４９】
その後、ユーザは、表示された上記全テロップのうち、上記動画の再生と共に再生する上記楽曲再生区間の終点（終了テロップ部位、この実施形態での第２部位に相当）としたいものを選択する。上記図５において説明した例に沿い、この例では、図７（ｂ）に示すようにユーザの指Ｆの接触操作によって「ああ  君の声を  きかせて」の「て」のテロップが選択されている。そして、この選択を行うと、図７（ｃ）に示すように、上記楽曲再生区間の終点であることを表す「ＥＮＤ」の表示がなされるとともに、上記「ふ」から「て」までの全テロップ、すなわち、「ふたり  過ごせる  わずかな  このとき  誰にも  言えない  恋に  さまよう  ああ  君の声を  きかせて」のテロップに対し、所望のマーキング（この例では白黒反転等の色調の変化）が行われている。
【００５０】
＜連動した再生＞
以上のような、動画に対する再生開始位置と再生終了位置の指定と、カラオケ楽曲のテロップに対する開始テロップ部位と終了テロップ部位の指定と、を行った後、ユーザによる操作端末３０の適宜の操作により、それらの指定が（当該カラオケ楽曲の通常の予約情報とともに）カラオケ装置１０へと送信される。この結果、前述のように、「ひとりで  いないで」→「僕のこと  好きになってみない？」→「確かに  僕は」→「君にとって」→「悪いやつかもしれないけど」→「君の好きなときに呼べばいい」→「君のｎｕｍｂｅｒは聞かないから」→「君の好きなときに来ればいい」→「部屋のｋｅｙを預けておくから」→「ふたり  過ごせる」→「わずかな  このとき」→「誰にも  言えない」→「恋に  さまよう」→「ああ  君の声を  きかせて」の順でカラオケ楽曲の再生が行われる。その際、図８に示すように、「ふたり  過ごせる」の再生のときに、楽曲の再生と同期しつつ、メインディスプレイ１６ＡにおいてフレームＡ５から上記動画の再生が開始され、「ああ  君の声を  きかせて」の再生が終了するときに動画のフレームＡ９で動画の再生が終了する。なお、この例では、上記開始から終了までの途中は、「わずかな  このとき」の再生時が動画のフレームＡ６の表示タイミングに、「誰にも  言えない」の再生時が動画のフレームＡ７の表示タイミングに、「恋に  さまよう」の再生時が動画のフレームＡ８の表示タイミングに、それぞれ概略一致する。
【００５１】
＜携帯端末の処理手順＞
上記手法を実現するために、操作端末３０に備えられたＣＰＵ（演算手段に相当）によって実行される処理内容を、図９に示すフローチャートにより説明する。
【００５２】
図９において、まず、ステップＳ１０で、上記ＣＰＵは、予め適宜の操作で例えば上記タッチパネル３０Ａにおいて表示されていた選曲画面において、ユーザによる適宜の操作により、選曲（すなわち送信する動画と連動させるカラオケ楽曲の選択）がなされたか否かを判定する。選曲がなされるまでは判定が満たされずに（Ｓ１０：Ｎｏ）ループ待機し、選曲がなされたらステップＳ１０の判定が満たされて（Ｓ１０：Ｙｅｓ）ステップＳ２０に移る。
【００５３】
ステップＳ２０では、ＣＰＵは、上記ステップＳ１０で選曲されたカラオケ楽曲の識別情報（曲ＩＤ）と、当該カラオケ楽曲の歌詞データ要求と、を上記通信制御部を介してカラオケ装置１０へ送信する。
【００５４】
そして、ステップＳ３０で、ＣＰＵは、上記ステップＳ２０で送信した上記歌詞データ要求に対応した上記カラオケ楽曲の歌詞データを、上記通信制御部を介しカラオケ装置１０から受信する。なお、このステップＳ３０が各請求項記載のテロップ取得手順に相当するとともに、このステップＳ３０を実行する上記ＣＰＵが、テロップ取得手段として機能する。その後、ステップＳ４０に移る。
【００５５】
ステップＳ４０では、ＣＰＵは、例えば適宜の操作で例えば上記タッチパネル３０Ａにおいて一覧表示される、上記メモリに記憶された複数の動画の画面において、ユーザによる適宜の操作により、カラオケ装置１０への転送対象とする１つの動画が指定されたか否かを、判定する。指定がなされるまでは判定が満たされず（Ｓ４０：Ｎｏ）にループ待機し、指定がなされたらステップＳ４０の判定が満たされ（Ｓ４０：Ｙｅｓ）、ステップＳ５０に移る。
【００５６】
ステップＳ５０では、ＣＰＵは、タッチパネル３Ａに、上記再生位置指定画面８１を表示させると共に、ユーザの操作による、上記再生開始位置（前述の例ではフレームＡ５）と上記再生終了位置（前述の例ではフレームＡ９）の指定を受け付ける。なお、このステップＳ５０が、各請求項記載の動画指定受付手順に相当するとともに、このステップＳ５０を実行する上記ＣＰＵが、動画指定受付手段として機能する。その後、ステップＳ６０に移る。
【００５７】
ステップＳ６０では、ＣＰＵは、タッチパネル３０Ａに、上記ステップＳ３０で取得された歌詞データに基づく当該カラオケ楽曲のすべての歌詞テロップである全テロップを含む、上記テロップ部位指定画面８２を表示させると共に、ユーザの操作による、上記開始テロップ部位（前述の例では「ふ」の歌詞テロップ）と上記終了テロップ部位（前述の例では「て」の歌詞テロップ）の指定を受け付ける。なお、このステップＳ６０が、各請求項記載のテロップ指定受付手順に相当するとともに、このステップＳ６０を実行する上記ＣＰＵが、テロップ指定受付手段として機能する。その後、ステップＳ７０に移る。
【００５８】
ステップＳ７０では、ＣＰＵは、上記ステップＳ１０での選曲に対応した通常の予約情報（曲ＩＤ、ユーザＩＤ等）、及び、上記ステップＳ４０で指定された動画の動画データを、上記ステップＳ５０で指定された上記再生開始位置を表す開始位置情報（上記ステップＳ６０で指定された開始テロップ部位と関連づけられている）、及び、上記ステップＳ５０で指定された上記再生終了位置を表す終了位置情報（上記ステップＳ６０で指定された終了テロップ部位と関連づけられている）とともに、上記通信制御部を介してカラオケ装置１０へ送信する。なお、このステップＳ７０が、各請求項記載の動画送信手順に相当するとともに、このステップＳ７０を実行する上記ＣＰＵが、動画送信手段として機能する。その後、このフローを終了する。
【００５９】
＜カラオケ装置の処理手順＞
上記手法を実現するために、上記図９のフローに対応して、カラオケ装置１０に備えられた上記ＣＰＵ２１によって実行される処理内容を、図１０に示すフローチャートにより説明する。
【００６０】
図１０において、まず、ステップＳ１１０において、ＣＰＵ２１は、上記無線ＬＡＮ制御部３３を介し、操作端末３０から上記曲ＩＤ・歌詞データ要求（上記図９のステップＳ２０参照）が受信されたか否かを判定する。受信されない間は判定が満たされずにループ待機し、上起き曲ＩＤ・歌詞データ要求が受信されたらステップＳ１１０の判定が満たされ（Ｓ１１０：Ｙｅｓ）、ステップＳ１１５に移る。
【００６１】
ステップＳ１１５では、ＣＰＵ２１は、ステップＳ１１０で受け付けた上記曲ＩＤに対応し、当該曲ＩＤを上記ＲＡＭ２２に一時保存するとともに、上記有線ＬＡＮ制御部２６を介し、上記曲ＩＤに対応する各種データの送信を要求するリクエスト信号をサーバ２５へ送信する。これにより、サーバ２５は、図示しない記憶装置から、上記リクエスト信号に示される曲ＩＤに対応する上記楽曲データと、当該楽曲データに対応した上記歌詞データ、及び上記映像データと、を検索して読み出し、その読み出された曲データ等を、ＬＡＮ回線１２を介してカラオケ装置１０に送信する。その後、ステップＳ１２０に移る。
【００６２】
ステップＳ１２０では、ＣＰＵ２１は、上記有線ＬＡＮ制御部２６を介し、サーバ２５からＬＡＮ回線１２を介して送信された上記楽曲データ等を受信する。その後、ステップＳ１２５に移る。
【００６３】
ステップＳ１２５では、ＣＰＵ２１は、上記ステップＳ１２０で受信した上記楽曲データ等をＨＤＤ２７に一時保存する。その後、ステップＳ１３０に移る。
【００６４】
なお、上記ステップＳ１１５、ステップＳ１２０、及びステップＳ１２５の処理においては、曲ＩＤに対応付けられる楽曲データ等は選曲毎にサーバ２５からオンデマンドで取得する処理が行われる。なお、この手法以外に、カラオケ装置１０の上記筐体１１内に、大容量の補助記憶手段（例えば上記ＨＤＤ２７等）などに予め楽曲データ等（歌詞データを含む）を記憶し、選曲毎に、選曲番号に対応付けられた楽曲データ（ＭＩＤＩデータ）等の情報群を上記補助記憶手段から読み出して、目的とする情報を取得するステップＳ１１５，ステップＳ１２０、ステップＳ１２５に相当する処理としてもよい。
【００６５】
ステップＳ１３０では、ＣＰＵ２１は、上記ステップＳ１２５でＨＤＤ２７に保存された曲ＩＤに対応する楽曲データから上記歌詞データを読み出し、無線ＬＡＮ制御部３３を介し、操作端末３０に送信する（この送信に対応する操作端末３０側の処理は、上記図９のステップＳ３０参照）。その後、ステップＳ１３５に移る。
【００６６】
ステップＳ１３５では、ＣＰＵ２１は、上記ステップＳ１３０の歌詞データの送信に対応して上記図９のステップＳ７０において操作端末３０から送信される、上記動画データ、開始位置情報・終了位置情報、予約情報が受信されたか否かを判定する。受信されるまでは判定が満たされずに（Ｓ１３５：Ｎｏ）ループ待機し、受信されたらステップＳ１３５の判定が満たされ（Ｓ１３５：Ｙｅｓ）、ステップＳ１４０に移る。なお、このステップＳ１３５を実行する上記ＣＰＵ２１が、各請求項記載の動画取得手段として機能する。
【００６７】
ステップＳ１４０では、ＣＰＵ２１は、上記ステップＳ１２５でＨＤＤ２７に記憶されている上記楽曲データであるＭＩＤＩデータの読み出しを開始し、読み出されたＭＩＤＩデータをＭＩＤＩ音源ボード２８に書き込む。ステップＳ１４０が終了したら、ステップＳ１４５に移る。
【００６８】
ステップＳ１４５では、上記ＭＩＤＩデータの再生が行われる。すなわち、ＣＰＵ２１は、ＭＩＤＩ音源ボード２８に制御信号を出力し、上記ステップＳ１４０で書き込んだＭＩＤＩデータに対応した音源信号を、ＭＩＤＩ音源ボード２８から出力させる。このステップＳ１４５を実行するＣＰＵ４５が、各請求項記載の楽曲再生手段として機能する。ＭＩＤＩ音源ボード２８から出力された音源信号は、音声制御回路２９へ出力され、アンプ１４が増幅可能な音楽信号に変換され、この変換された音楽信号は、音声出力端子１５からアンプ１６へ出力される。前述の音声信号は、上記音声制御回路５２を経てアンプ１６へと出力され、アンプ１６に内蔵された上記ミキシング回路９において上記音楽信号とミキシングされる。そして、そのミキシングされたミキシング信号は、アンプ１６に内蔵された図示しない増幅回路により増幅された後にスピーカ２０へ出力され、スピーカ２０によって放音される。ステップＳ１４５が終了すると、ステップＳ１５０に移る。
【００６９】
ステップＳ１５０では、ＣＰＵ２１は、上記ステップＳ１２５でＨＤＤ２７に保存された上記歌詞データを読み出すとともに、上記映像制御回路３１に制御信号を出力し、上記ステップＳ１４５における楽曲データ（ＭＩＤＩデータ）の再生と同期する形で、上記メインディスプレイ１６Ａにおいて、当該歌詞データに対応した歌詞テロップの表示を開始する。その後、ステップＳ１５５に移る。
【００７０】
ステップＳ１５５では、上記ステップＳ１３５での受信結果に基づき、ＣＰＵ２１は、ステップＳ１５０で表示を開始した歌詞テロップが上記開始テロップ部位に到達したか（言い換えればステップＳ１４５で再生を開始したカラオケ楽曲が上記開始位置情報の表す再生開始位置のタイミングとなったか）否か、を判定する。開始テロップ部位に到達しない間はステップＳ１５５の判定が満たされず（Ｓ１５５：Ｎｏ）後述のステップＳ１６５に移行し、開始テロップ部位に到達したらステップＳ１５５の判定が満たされ（Ｓ１５５：Ｙｅｓ）、ステップＳ１６０に移る。
【００７１】
ステップＳ１６０では、ＣＰＵは、上記映像制御回路３１に制御信号を出力し、上記メインディスプレイ１６Ａにおいて、上記ステップＳ１３５で受信した動画データに対応する動画を、上記再生開始位置から再生し、表示を開始させる。なおこのときの再生速度は、後述の再生終了位置で再生が終了するように、適宜に調整される。その後、ステップＳ１６５に移る。調整のしかたについては後述する。
【００７２】
ステップＳ１６５では、上記ステップＳ１３５での受信結果に基づき、ＣＰＵ２１は、ステップＳ１５０で表示を開始した歌詞テロップが上記終了テロップ部位に到達したか（言い換えればステップＳ１４５で再生を開始したカラオケ楽曲が上記終了位置情報の表す再生終了位置のタイミングとなったか）否か、を判定する。終了テロップ部位に到達しない間はステップＳ１６５の判定が満たされず（Ｓ１６５：Ｎｏ）後述のステップＳ１７５に移行し、終了テロップ部位に到達したらステップＳ１６５の判定が満たされ（Ｓ１６５：Ｙｅｓ）、ステップＳ１７０に移る。
【００７３】
ステップＳ１７０では、ＣＰＵは、上記映像制御回路３１に制御信号を出力し、上記メインディスプレイ１６Ａにおいて、上記ステップＳ１６０から再生していた動画を（上記再生終了位置で）再生終了させる。このとき、前述したように、この再生終了位置で上記動画再生が終了するように、上記ステップＳ１６０からの動画再生速度はＣＰＵ２１により公知の手法で調整される。言い換えれば、ＣＰＵ２１は、上記動画における上記再生開始位置から上記再生終了位置までの時間長さ（前述の例ではフレームＡ５からフレームＡ９までの時間長さ）と、上記歌詞テロップにおける上記開始テロップ部位から上記終了テロップ部位までの時間長さ（前述の例では「ふ」の歌詞テロップから「て」の歌詞テロップまでの時間長さ）との大小に応じて、上記動画の再生速度を調整する（動画調整手段としての機能。後述の図１４及び図１５に示す変形例も参照）。なお、上記ステップＳ１５５、ステップＳ１６０、ステップＳ１６５、ステップＳ１７０を実行するＣＰＵ２１が、各請求項記載の表示制御手段として機能する。このステップＳ１７０の完了後、ステップＳ１７５に移る。
【００７４】
ステップＳ１７５では、ＣＰＵ２１は、上記ＭＩＤＩデータの再生が終了したか（言い換えれば、ステップＳ１４０でのＭＩＤＩデータの読み出しが楽曲データの最後のＭＩＤＩデータまで終了したか）否かを判定する。再生が終了していれば判定が満たされ（ステップＳ１７５：ＹＥＳ）、このフローを終了する。ＭＩＤＩデータの再生が終了していなければ判定が満たされず（ステップＳ１７５：ＮＯ）、上記ステップＳ１５０に戻り、上記ステップＳ１５０〜ステップＳ１７０の手順を繰り返す。ＭＩＤＩデータの再生が終了していればステップＳ１７５の判定が満たされ（Ｓ１７５：Ｙｅｓ）、このフローを終了する。
【００７５】
＜実施形態の効果＞
以上説明したように、本実施形態においては、カラオケ楽曲が再生される際に、ユーザの所望の動画を上記再生と連動させてメインディスプレイ１６Ａで表示させることができる。その際、ユーザは、上記図５〜図７を用いて説明したように、上記動画のうちのどの部分（上記再生開始位置から上記再生終了位置まで）を連動して表示させるかを指定可能である。すなわち、メインディスプレイ１６Ａでの上記動画の表示は、カラオケ楽曲の特定の部位（この例では上記開始テロップ部位）において上記再生開始位置から表示開始されるとともに、当該カラオケ楽曲のうち別の特定の部位（この例では上記終了テロップ部位）において上記再生終了位置で表示終了するように、制御される（図１０のステップＳ１５５〜ステップＳ１７０参照）。言い換えれば、カラオケ楽曲が再生されるとき、特定の区間（この例では開始テロップ部位から終了テロップ部位まで）において、上記動画のうちユーザが所望する部分である上記動画再生区間（再生開始位置から再生終了位置まで）が連動して表示される。以上の結果、ユーザの意図するタイミングにおいて、カラオケ楽曲の再生（放音）と動画再生（表示）とを連動させることができるので、娯楽性を向上することができる。
【００７６】
また、本実施形態では特に、動画の表示開始タイミングを、歌詞テロップの特定部位（開始テロップ部位）として指定することができる。これにより、カラオケ楽曲の再生とともに歌詞テロップがメインディスプレイ１６Ａで表示されるとき、表示される歌詞テロップのうち上記開始テロップ部位が表示されるタイミングから、上記ユーザの所望する動画部分（再生開始位置から再生終了位置まで）を連動して表示開始することができる。すなわち、ユーザの意図する開始タイミングにおいて、カラオケ楽曲に連動させて動画再生（表示）を開始させることができ、確実に娯楽性を向上することができる。
【００７７】
さらに、本実施形態では特に、動画の表示開始タイミング及び動画の表示終了タイミングの両方を、歌詞テロップの２つの特定部位（開始テロップ部位及び終了テロップ部位）として指定することができる。これにより、カラオケ楽曲の再生とともに歌詞テロップが表示されるとき、表示される歌詞テロップのうち上記開始テロップ部位が表示されるタイミングから上記ユーザの所望する動画部分を連動して表示開始させ、さらに上記終了テロップ部位が表示されるタイミングにて上記ユーザの所望する動画部分を連動して表示終了させることができる。すなわち、ユーザの意図する開始・終了タイミングにおいて、カラオケ楽曲に連動させて動画再生（表示）を開始・終了させることができるので、さらに確実に娯楽性を向上することができる。
【００７８】
＜演奏映像動画等における有効性＞
そして、特に本実施形態では、カラオケ楽曲の演奏映像動画・歌唱映像動画等を再生する場合には、上記再生開始位置及び再生終了位置の指定を適宜に行うことで、表示手段で表示される演奏者・歌唱者の演奏動作・歌唱動作と、再生されるカラオケ楽曲の音とを高精度に同期させることも可能となり、さらに娯楽性を向上することができる。この効果を、上記歌唱者の歌唱動作を含む歌唱映像動画の場合を例に取り、図１１〜図１３を用いてさらに詳細に説明する。
【００７９】
図１１は、カラオケ楽曲と、当該カラオケ楽曲の本来の歌唱映像動画と、をそれぞれ表す説明図である。図１１の左側に示すように、この例では、上記図４を用いて説明した前述の楽曲と同様、この楽曲は、「そうさ」→「Ａｈ〜」→「俺は、」→「Ｙｅａｈ」→「だから、」の順で再生が行われる。
【００８０】
一方、図１１の右側に示される上記本来の歌唱映像動画は、図示するフレームＢ１〜Ｂ５を含む、連続する多数のフレームの集合体により構成されている。すなわち、図示するこれらフレームＢ１，Ｂ２，Ｂ３，Ｂ４，Ｂ５は、上記歌唱映像動画の概略内容を説明するために、便宜上、上記多数のフレームの中から抜き出して示したものであり、それらフレームＢ１〜Ｂ５のうち番号が隣接する２つのフレーム間にも複数の図示しないフレームが動画中には存在している。
【００８１】
そして、フレームＢ１においては、「そうさ」の歌詞を歌唱している（破線吹き出し参照、以下同様。特に詳細には末尾の「さ」の発音を行っている）歌唱者の姿が記録されており、本来、上記図１１左側に示す「そうさ」の再生タイミングに対応したフレームである。
【００８２】
また、フレームＢ２においては、「Ａｈ〜」の歌詞を歌唱している歌唱者の姿が記録されており、上記同様、本来、上記図１１左側に示す「Ａｈ〜」の再生タイミングに対応したフレームである。
【００８３】
さらに、フレームＢ３においては、「俺は」の歌詞を歌唱している（特に詳細には末尾の「は」の発音を行っている）歌唱者の姿が記録されており、本来、上記図１１左側に示す「俺は」の再生タイミングに対応したフレームである。
【００８４】
また、フレームＢ４においては、「Ｙｅａｈ〜」の歌詞を歌唱している歌唱者の姿が記録されており、本来、上記図１１左側に示す「Ｙｅａｈ〜」の再生タイミングに対応したフレームである。
【００８５】
さらに、フレームＢ５においては、「だから」の歌詞を歌唱している（特に詳細には末尾の「ら」の発音を行っている）歌唱者の姿が記録されており、本来、上記図１１左側に示す「だから」の再生タイミングに対応したフレームである。
【００８６】
＜動画と楽曲の不一致が生じる比較例＞
ところで、例えばユーザが個人的に上記図１１のカラオケ楽曲の歌唱映像動画を取得した場合、上記図１１の右側に示したような上記フレームＢ１〜Ｂ５を含む動画ではなく、時間長さが異なる動画を取得した場合（例えば上記よりも短い場合。あるいは上記よりも長い場合や、カット割りなどが異なる場合もあり得る）がある。そのような動画を上記カラオケ楽曲と一緒に再生して楽しもうとした場合に、上記実施形態による手法による連動を仮に行わない場合を、図１２に比較例として示す。
【００８７】
図１２において、この比較例では、ユーザにより取得されてカラオケ装置１０に転送された歌唱映像動画が、上記図１１の右側に示した本来の歌唱映像動画よりも短かった場合を例にとっている。すなわち、図１２（ａ）〜（ｃ）の右側に示すように、この比較例における歌唱映像動画は、上記フレームＢ２（歌唱者が「Ａｈ〜」の歌詞を歌唱）〜フレームＢ３（歌唱者が「俺は」の歌詞を歌唱）を経て上記フレームＢ４（歌唱者が「Ｙｅａｈ〜」の歌詞を歌唱）までの区間のみを含んでいる。
【００８８】
したがって、このような動画を、（前述の連動を行うことなく）そのまま上記カラオケ楽曲に同期させて再生すると、図１２（ａ）に示すように、例えば、「そうさ」の再生タイミングにおいて「Ａｈ〜」の歌詞を歌唱する歌唱者が記録されたフレームＢ２が表示されてしまう（フレームＢ２中には、楽曲再生に合わせて「そうさ」の歌詞テロップも表記）。その後、図１２（ｂ）に示すように、例えば、「Ａｈ〜」の再生タイミングにおいては「俺は」の歌詞を歌唱する歌唱者が記録されたフレームＢ３が表示され（フレームＢ３中には「Ａｈ〜」の歌詞テロップ）、さらに図１２（ｃ）に示すように、「俺は」の再生タイミングにおいては「Ｙｅａｈ」の歌詞を歌唱する歌唱者が記録されたフレームＢ４が表示（フレームＢ４中には「俺は、」の歌詞テロップ）されてしまう。そしてこのタイミングで動画再生が終了する結果、図１２（ｄ）に示すように「Ｙｅａｈ〜」の再生タイミングにおいては動画は何も表示されない。図１２（ｅ）に示す「だから」の再生タイミングも同様。
【００８９】
上記のように、この比較例では、せっかくユーザが当該カラオケ楽曲の歌唱映像動画（いわゆるライブ動画）を取得して転送し、カラオケ楽曲の再生時にライブ感をより盛り上げようと意図しても、動画で表示される歌唱者の歌唱動作と楽曲の再生タイミングがずれており、娯楽性の面で改善の余地がある。
【００９０】
＜実施形態の手法により動画と楽曲の不一致をなくした場合＞
上記を改善するために、上記実施形態の手法を適用した場合を図１３に示す。この例では、例えば上記再生位置指定画面８１において再生開始位置を上記フレームＢ２でかつ再生終了位置を上記フレームＢ４とし、さらに上記テロップ部位指定画面８２において開始テロップ部位を「Ａｈ〜」の歌詞テロップとしかつ終了テロップ部位を「Ｙｅａｈ〜」の歌詞テロップとする。
【００９１】
これにより、図１３（ａ）に示すように、例えば、「そうさ」の再生タイミングにおいては、動画は何も表示されない。その後、図１３（ｂ）に示すように、「Ａｈ〜」の再生タイミングになると、「Ａｈ〜」の歌詞を歌唱する歌唱者が記録されたフレームＢ２が表示される（フレームＢ２中に、楽曲再生に合わせて「そうさ」の歌詞テロップも表記）。同様に、図１３（ｃ）に示す「俺は」の再生タイミングになると、「俺は」の歌詞を歌唱する歌唱者が記録されたフレームＢ３が表示される（フレームＢ３中に、楽曲再生に合わせて「俺は、」の歌詞テロップも表記）。また同様に、図１３（ｄ）に示す「Ｙｅａｈ〜」の再生タイミングになると、「Ｙｅａｈ〜」の歌詞を歌唱する歌唱者が記録されたフレームＢ４が表示される（フレームＢ４中に、楽曲再生に合わせて「Ｙｅａｈ〜」の歌詞テロップも表記）。なお、図１３（ｅ）に示す「だから」の再生タイミングにおいては動画は何も表示されない。
【００９２】
上記のようにして、本実施形態によれば、歌唱映像動画で表示される歌唱者の歌唱動作と楽曲の再生タイミングを高精度に一致させることができるので、娯楽性をさらに向上することができる。
【００９３】
また、本実施形態では特に、上記図１０におけるステップＳ１５０〜ステップＳ１７０において前述したように、ＣＰＵ２１により、ユーザの指定する上記動画再生区間（上記再生開始位置から上記再生終了位置まで）と、これに対応する歌詞テロップの特定区間（上記の例では開始テロップ部位から終了テロップ部位まで）との時間長さの大小に応じて、動画側の再生速度が調整される。
【００９４】
上記再生速度の調整の別の例を、図１４及び図１５により説明する。図１４は、上記図５に対応する図であり、この例では、図示のように、図３に示した動画のうち、クライマックスシーンであるフレームＡ５〜フレームＡ９の区間を、図４に示すカラオケ楽曲のうちの「確かに  僕は」→「君にとって」→「悪いやつかも  しれないけど」の区間（すなわち上記図５よりも短い区間）に合わせて再生したい場合を示している。
【００９５】
この場合、例えば上記再生位置指定画面８１において上記実施形態と同様に再生開始位置を上記フレームＡ５でかつ再生終了位置を上記フレームＡ９としつつ、上記歌詞テロップ部位指定画面８２では開始テロップ部位を「確かに」の「確」の歌詞テロップとしかつ終了テロップ部位を「しれないけど」の「ど」の歌詞テロップとする。
【００９６】
これにより、図１５に示すように、「確かに  僕は」の再生のときに、楽曲の再生と同期しつつ、メインディスプレイ１６ＡにおいてフレームＡ５から上記動画の再生が開始され、「悪いやつかも  しれないけど」の再生が終了するときに動画のフレームＡ９で動画の再生が終了する。なお、上記開始から終了までの途中は、「君にとって」の再生時が動画のフレームＡ７の表示タイミングに、それぞれ概略一致する。このように、上記実施形態と同様の時間長さである動画のフレームＡ５からフレームＡ９までの区間が、上記実施形態よりも短い時間長さである「確かに  僕は」→「君にとって」→「悪いやつかも  しれないけど」の再生の区間において再生されることから、この場合の動画再生速度は、ＣＰＵ２１によって、上記実施形態よりも速い速度に自動的に調整される。なお、詳細な説明は省略するが、遅く調整する場合も同様である。
【００９７】
以上のように、動画側の再生速度が調整されることにより、確実に、ユーザの意図するタイミングにおいて、カラオケ楽曲の再生（放音）と動画再生（表示）とを連動させることができる。
【００９８】
なお、本発明は、上記に限られるものではなく、その趣旨及び技術的思想を逸脱しない範囲内でさらに種々の変形が可能である。以下、そのような変形例を順を追って説明する。
【００９９】
（１）楽曲再生区間の指定の他のバリエーション
上記実施形態においては、上記動画の再生と共に再生する上記楽曲再生区間の始点を上記開始テロップ部位で指定すると共に、上記楽曲再生区間の終点を上記終了テロップ部位で指定したが、これに限られない。
【０１００】
すなわち、例えば楽曲再生区間の終点を当該楽曲の終了タイミングとする場合には、上記開始テロップ部位の指定のみで足りる。この場合は、（上記終了テロップ部位の指定が行われることなく）操作端末３０からカラオケ装置１０に対し、上記楽曲の終了タイミング（この例での第２部位に相当）に対応付けられた上記終了位置情報が前述のステップＳ７０において送信される。
【０１０１】
同様に、例えば楽曲再生区間の始点を当該楽曲の開始タイミングとする場合には、上記終了テロップ部位の指定のみで足りる。この場合は、（上記開始テロップ部位の指定が行われることなく）操作端末３０からカラオケ装置１０に対し、上記楽曲の開始タイミング（この例での第１部位に相当）に対応付けられた上記開始位置情報が前述のステップＳ７０において送信される。
【０１０２】
さらに、例えば楽曲再生区間の始点を当該楽曲の開始タイミングとし、かつ終点を当該楽曲の終了タイミングとする場合には、上記開始テロップ部位の指定も終了テロップ部位の指定も不要となる。この場合は、（上記開始テロップ部位や終了テロップ部位の指定は行われることなく）操作端末３０からカラオケ装置１０に対し、上記楽曲の開始タイミング（この例での第１部位に相当）に対応付けられた上記開始位置情報と上記楽曲の終了タイミング（この例での第２部位に相当）に対応付けられた上記終了位置情報とが前述のステップＳ７０において送信される。
【０１０３】
（２）動画再生区間の指定の他のバリエーション
また、以上においては、図６を用いて説明したユーザの選択操作により、操作端末３０において、上記動画データとは別に、上記動画再生区間の再生開始位置を表す開始位置情報及び再生終了位置を表す終了位置情報を生成し、カラオケ装置１０へと送信した（図９のステップＳ５０、ステップＳ７０参照）が、これに限られない。すなわち、ステップＳ５０におけるユーザによる再生開始位置と再生終了位置の指定に基づき、動画データ自体に対し、当該再生開始位置から再生終了位置までの部分を残しつつ他の部分を消去するような加工処理を行ってもよい。この場合、上記のような開始位置情報及び終了位置情報の生成は不要であり、加工処理後の動画データの開始部が開始位置情報として機能し、動画データの終了部が終了位置情報として機能することとなる。
【０１０４】
（３）その他
なお、以上において、図９、図１０等に示すフローチャートは本発明を上記フローに示す手順に限定するものではなく、発明の趣旨及び技術的思想を逸脱しない範囲内で手順の追加・削除又は順番の変更等をしてもよい。
【０１０５】
また、以上既に述べた以外にも、上記実施形態や各変形例による手法を適宜組み合わせて利用しても良い。
【０１０６】
その他、一々例示はしないが、本発明は、その趣旨を逸脱しない範囲内において、種々の変更が加えられて実施されるものである。例えば、動画データを静止画データに置き換えることで、開始テロップ部位で目的の静止画の表示を開始し、終了テロップ部位で静止画の表示を終了することもできる。
【符号の説明】
【０１０７】
１                カラオケシステム（動画処理システム）
１０              カラオケ装置
１６Ａ            メインディスプレイ（表示手段）
２１              ＣＰＵ
３０              操作端末（携帯端末）
【図１】
0006601615.tif 000002
【図２】
0006601615.tif 000003
【図３】
0006601615.tif 000004
【図４】
0006601615.tif 000005
【図５】
0006601615.tif 000006
【図６】
0006601615.tif 000007
【図７】
0006601615.tif 000008
【図８】
0006601615.tif 000009
【図９】
0006601615.tif 000010
【図１０】
0006601615.tif 000011
【図１１】
0006601615.tif 000012
【図１２】
0006601615.tif 000013
【図１３】
0006601615.tif 000014
【図１４】
0006601615.tif 000015
【図１５】
0006601615.tif 000016